(57)【要約】【課題】主部に対する電池からの電源の供給、停止を制御し、電池の寿命を長くする。【解決手段】主部１０は第１のリレースイッチＳＷ１を介して電池Ｅに接続される。主部１０はトランジスタＱ１の動作を介して第２リレースイッチＳＷ２の動作を制御するマイクロコンピュータ１１を有する。スイッチＰは加速度の変化を検出した場合にオンする。リレーコイルＲＹ１及びリレースイッチＳＷ１を有する第１リレーとリレースイッチＳＷ２によって構成される自己保持回路は、スイッチＰがオンすることを契機として、第１のリレースイッチＳＷ１をオンさせ続ける。スイッチＰがオフしていれば、第２のリレースイッチＳＷ２がオフすることにより、自己保持回路の動作に拘わらず第１のリレースイッチＳＷ１がオフし、主部１０への電池Ｅからの電源の供給は停止する。【選択図】　　　　図１
2004120161.tif 000002
【特許請求の範囲】
【請求項１】
電池（Ｅ）と、
第１のスイッチング素子（ＳＷ１；ＳＷ１；Ｑ０）、第２のスイッチング素子（ＳＷ２；Ｑ１；Ｑ１）、加速度の変化を検出した場合にオンする第３のスイッチング素子（Ｐ）、前記第３のスイッチング素子がオンすることを契機として前記第１のスイッチング素子をオンさせ続ける自己保持回路（ＲＹ１，ＳＷ２；ＲＹ１；Ｄ）とを有する制御回路（２０，３０，４０）と、
前記第１のスイッチング素子を介して前記電池に接続され、前記第２のスイッチング素子の動作を制御する制御部（１１）を有する主部（１０）と
を備え、
前記第３のスイッチング素子がオフしている場合には、前記第２のスイッチング素子の前記動作が、前記自己保持回路の動作に拘わらず前記第１のスイッチング素子を強制的にオフさせる、電池駆動装置（１０１Ａ，１０１Ｂ，１０１Ｃ）。
【請求項２】
前記主部（１０）に対する操作が所定時間行われない場合に、前記第２のスイッチング素子の前記動作が、前記第１のスイッチング素子を強制的にオフさせる、請求項１記載の電池駆動装置（１０１Ａ，１０１Ｂ，１０１Ｃ）。
【請求項３】
自身に電流が流れることにより前記第１のスイッチング素子（ＳＷ１）をオンさせる制御素子（ＲＹ１）を更に備え、
前記第３のスイッチング素子（Ｐ）の両端の間で、前記第１のスイッチング素子と前記第２のスイッチング素子（ＳＷ２）とが直列に接続され、
前記電池（Ｅ）の両極の間で、前記制御素子と前記第３のスイッチング素子とが直列に接続される、請求項１及び請求項２のいずれか一つに記載の電池駆動装置（１０１Ａ）。
【請求項４】
自身に電流が流れることにより前記第１のスイッチング素子（ＳＷ１；Ｑ０）をオンさせる制御素子（ＲＹ１；Ｄ）を更に備え、
前記電池（Ｅ）の両極の間で、前記制御素子と前記第３のスイッチング素子（Ｐ）とが直列に接続され、
前記第３のスイッチング素子（Ｐ）と前記第１のスイッチング素子とが並列に接続され、
前記制御素子と前記第２のスイッチング素子（Ｑ１）とが並列に接続される、請求項１及び請求項２のいずれか一つに記載の電池駆動装置（１０１Ｂ，１０１Ｃ）。
【請求項５】
前記制御素子（ＲＹ１）は前記第１のスイッチング素子（ＳＷ１）とともにリレーを構成するリレーコイルである、請求項３又は請求項４記載の電池駆動装置（１０１Ａ，１０１Ｂ）。
【請求項６】
前記制御素子（Ｄ）は前記第１のスイッチング素子（Ｑ０）とともにフォトカプラを構成するフォトダイオードである、請求項４記載の電池駆動装置（１０１Ｃ）。
【請求項７】
前記主部（１０）は、入力部（１３）を更に有し、
前記制御部（１１）は、前記入力部に対して所定時間の間に操作がない場合に、前記第２のスイッチング素子を動作させて前記第１のスイッチング素子を強制的にオフさせる、請求項１乃至請求項６のいずれか一つに記載の電池駆動装置（１０１Ａ，１０１Ｂ，１０１Ｃ）。
【請求項８】
前記制御回路（２０，３０，４０）と前記主部（１０）とは、同一筐体に収められる、請求項１乃至請求項７のいずれか一つに記載の電池駆動装置（１０１Ａ，１０１Ｂ，１０１Ｃ）。
【請求項９】
空気調和機のリモートコントローラとして採用される、請求項１乃至請求項８のいずれか一つに記載の電池駆動装置（１０１Ａ，１０１Ｂ，１０１Ｃ）。
【発明の詳細な説明】
【０００１】
【発明の属する技術分野】
この発明は電池に基づく電源の供給及び停止を制御する技術に関する。例えば、空気調和機のリモートコントローラにおける電源の供給、停止の制御に適用することが可能である。
【０００２】
【従来の技術】
空気調和機のリモートコントローラに搭載される電池の寿命を長くするための技術として特許文献１に開示された技術がある。当該文献では、リモートコントローラの本体の角度を検出する角度検出手段を本体に設け、角度検出手段の検出結果に応じて、本体に設けられた表示装置のオン／オフを制御する。当該オン／オフの制御では、本体の角度が変化したことを検出した場合に表示装置を表示させ、本体の角度が一定時間経過しても変化しない場合は表示装置を消灯させる。
【０００３】
【特許文献１】
特開２００２−２４９３８８号公報
【０００４】
【発明が解決しようとする課題】
しかしながら、上記文献に開示された技術では表示装置以外の部分、例えば制御部分に対する電源の供給、停止を必ずしも行うものではないと考えられる。
【０００５】
本発明はかかる点に鑑みてなされたもので、当該電池からの電源の供給、停止を制御する技術を提供するものである。
【０００６】
【課題を解決するための手段】
この発明のうち請求項１にかかるものは、電池駆動装置（１０１Ａ，１０１Ｂ，１０１Ｃ）であって、電池（Ｅ）と、第１のスイッチング素子（ＳＷ１；ＳＷ１；Ｑ０）、第２のスイッチング素子（ＳＷ２；Ｑ１；Ｑ１）、加速度の変化を検出した場合にオンする第３のスイッチング素子（Ｐ）、前記第３のスイッチング素子がオンすることを契機として前記第１のスイッチング素子をオンさせ続ける自己保持回路（ＲＹ１，ＳＷ２；ＲＹ１；Ｄ）とを有する制御回路（２０，３０，４０）と、前記第１のスイッチング素子を介して前記電池に接続され、前記第２のスイッチング素子の動作を制御する制御部（１１）を有する主部（１０）とを備える。そして、前記第３のスイッチング素子がオフしている場合には、前記第２のスイッチング素子の前記動作が、前記自己保持回路の動作に拘わらず前記第１のスイッチング素子を強制的にオフさせる。
【０００７】
この発明のうち請求項２にかかるものは、請求項１記載の電池駆動装置（１０１Ａ，１０１Ｂ，１０１Ｃ）であって、前記主部（１０）に対する操作が所定時間行われない場合に、前記第２のスイッチング素子の前記動作が、前記第１のスイッチング素子を強制的にオフさせる。
【０００８】
この発明のうち請求項３にかかるものは、請求項１及び請求項２のいずれか一つに記載の電池駆動装置（１０１Ａ）であって、自身に電流が流れることにより前記第１のスイッチング素子（ＳＷ１）をオンさせる制御素子（ＲＹ１）を更に備える。そして、前記第３のスイッチング素子（Ｐ）の両端の間で、前記第１のスイッチング素子と前記第２のスイッチング素子（ＳＷ２）とが直列に接続され、前記電池（Ｅ）の両極の間で、前記制御素子と前記第３のスイッチング素子とが直列に接続される。
【０００９】
この発明のうち請求項４にかかるものは、請求項１及び請求項２のいずれか一つに記載の電池駆動装置（１０１Ｂ，１０１Ｃ）であって、自身に電流が流れることにより前記第１のスイッチング素子（ＳＷ１；Ｑ０）をオンさせる制御素子（ＲＹ１；Ｄ）を更に備える。そして、前記電池（Ｅ）の両極の間で、前記制御素子と前記第３のスイッチング素子（Ｐ）とが直列に接続され、前記第３のスイッチング素子（Ｐ）と前記第１のスイッチング素子とが並列に接続され、前記制御素子と前記第２のスイッチング素子（Ｑ１）とが並列に接続される。
【００１０】
この発明のうち請求項５にかかるものは、請求項３又は請求項４記載の電池駆動装置（１０１Ａ，１０１Ｂ）であって、前記制御素子（ＲＹ１）は前記第１のスイッチング素子（ＳＷ１）とともにリレーを構成するリレーコイルである。
【００１１】
この発明のうち請求項６にかかるものは、請求項４記載の電池駆動装置（１０１Ｃ）であって、前記制御素子（Ｄ）は前記第１のスイッチング素子（Ｑ０）とともにフォトカプラを構成するフォトダイオードである。
【００１２】
この発明のうち請求項７にかかるものは、請求項１乃至請求項６のいずれか一つに記載の電池駆動装置（１０１Ａ，１０１Ｂ，１０１Ｃ）であって、前記主部（１０）は、入力部（１３）を更に有しする。そして、前記制御部（１１）は、前記入力部に対して所定時間の間に操作がない場合に、前記第２のスイッチング素子を動作させて前記第１のスイッチング素子を強制的にオフさせる。
【００１３】
この発明のうち請求項８にかかるものは、請求項１乃至請求項７のいずれか一つに記載の電池駆動装置（１０１Ａ，１０１Ｂ，１０１Ｃ）であって、前記制御回路（２０，３０，４０）と前記主部（１０）とは、同一筐体に収められる。
【００１４】
この発明のうち請求項９にかかるものは、請求項１乃至請求項８のいずれか一つに記載の電池駆動装置（１０１Ａ，１０１Ｂ，１０１Ｃ）であって、空気調和機のリモートコントローラとして採用される。
【００１５】
【発明の実施の形態】
第１の実施の形態．
図１は本発明の第１の実施の形態にかかるリモートコントローラ１０１Ａの構成を例示する回路図である。ここでは空気調和機の操作に用いる場合を例にとって説明する。
【００１６】
リモートコントローラ１０１Ａは電池Ｅと、主部１０と、制御回路２０とを備えており、これらは例えば同一筐体に収められ、形態可能となっている。主部１０は電池Ｅを電源の供給源とするものの、主部１０に対する電源の供給、停止は制御回路２０によって制御される。主部１０は、マイクロコンピュータ１１、表示部１２、入力部１３、送受信部１４を有している。表示部１２は、空気調和機の操作の内容や、空気調和機の状態を表示する。入力部１３に対しては、操作者が空気調和機に対する操作を行う。送受信部１４は、空気調和機に対する操作についての情報の送信及び空気調和機の状態についての情報の受信を行う。そしてマイクロコンピュータ１１は、表示部１２、入力部１３、送受信部１４の動作を制御する。マイクロコンピュータ１１は制御回路２０を介して電池Ｅに接続されており、表示部１２、入力部１３、送受信部１４の動作のための電源はマイクロコンピュータ１１を介してこれらに供給される。よってリモートコントローラ１０１Ａは全体として、電池Ｅによって駆動される電池駆動装置であると把握できる。
【００１７】
制御回路２０は、スイッチＰ、第１リレー及び第２リレー並びにＮＰＮ型のトランジスタＱ１を有している。スイッチＰは、加速度を検出したか否か、より正確には検出された加速度の絶対値がある閾値を超えるか否かに応じて、それぞれオン／オフする。
【００１８】
第１リレーはリレーコイルＲＹ１及びリレースイッチＳＷ１を、第２リレーはリレーコイルＲＹ２及びリレースイッチＳＷ２を、それぞれ有している。リレーコイルＲＹ１に電流が流れるか否かに応じてリレースイッチＳＷ１はそれぞれオン／オフし、リレーコイルＲＹ２に電流が流れるか否かに応じてリレースイッチＳＷ２はそれぞれオフ／オンする。
【００１９】
電池Ｅの両端の間ではスイッチＰ及びリレーコイルＲＹ１が直列に接続される。またスイッチＰの両端Ａ，Ｂの間ではリレースイッチＳＷ１，ＳＷ２が相互に直列に接続される。電池Ｅの正極にはスイッチＰの一端ＡとリレースイッチＳＷ１の一端とが共通に接続され、スイッチＰの他端ＢはリレーコイルＲＹ１を介して電池Ｅの負極に接続される。
【００２０】
トランジスタＱ１のコレクタはリレースイッチＳＷ１，ＳＷ２同士の接続点に接続される。リレーコイルＲＹ２は、トランジスタＱ１のエミッタと、電池Ｅの負極との間に接続される。トランジスタＱ１のコレクタ及びベース、並びに電池Ｅの負極がマイクロコンピュータ１１に接続される。従って、マイクロコンピュータ１１にはリレースイッチＳＷ１を介して電池Ｅに接続されており、リレースイッチＳＷ１がオンすることによって、マイクロコンピュータ１１には電源が供給される。
【００２１】
マイクロコンピュータ１１はトランジスタＱ１のベースに所定の電圧を印加してこれをオンすることができ、後述するように、スイッチＰが導通していない限り、トランジスタＱ１のオンによってリレースイッチＳＷ１をオフすることができる。
【００２２】
図２はリモートコントローラ１０１Ａを空気調和器用のリモートコントローラ１０１として使用する一態様を例示する模式図である。リモートコントローラ１０１から室内機１０２に対しては、例えば図１に示した送受信部１０４から送信される赤外線や電波、あるいは超音波等の送信媒体によって、操作についての情報が送信される。室内機１０２はこれを受信し、自身及び／又は室外機１０３の動作の制御を行う。
【００２３】
図３はスイッチＰの構造の一例を示す回路図である。スイッチＰは加速度センサ２１とスイッチ２２とを有しており、それぞれの一端は共通してスイッチＰの一端Ａに接続され、これを介して電池Ｅの正極に接続されている。加速度センサ２１の他端は電池Ｅの負極に接続されており、加速度センサ２１は電池Ｅから電源の供給を受けて加速度を検出する。そして加速度センサ２１が検出した加速度の絶対値がある閾値を超えるか否かに応じて、スイッチ２２はそれぞれオン／オフする。スイッチ２２の他端はスイッチＰの他端Ｂを介してリレーコイルＲＹ１に接続されている。つまり電池Ｅの両極の間で、リレーコイルＲＹ１とスイッチ２２とが直列に接続される。
【００２４】
図４はリモートコントローラ１０１Ａの動作の一例を示すフローチャートである。後述するように当該フローチャートを構成するステップは循環して処理が進むが、便宜的にステップＳ１から説明を行う。ステップＳ１では加速度が検出されたか否かが判断される。これは加速度センサ２１において、その絶対値がある閾値を超える加速度が検出されたか否かを判断することに対応する。ステップＳ１の判断結果が否定的であればステップＳ２へと処理が進む。スイッチ２２はオフしており、よってスイッチＰはオフしている。そのため、リレーコイルＲＹ１には電流が流れず、リレースイッチＳＷ１もオフしている。従って主部１０には電池Ｅからの電源Ｅが供給されない。図中ではこのことを、簡単に「電源Ｅを供給しない」と記載している。その後、処理はステップＳ１へと戻る。
【００２５】
以上のように、加速度が検出されない限り、ステップＳ１とステップＳ２が繰り返される。よってリモートコントローラ１０１Ａが所定の位置に置かれている限り、通常は主部１０には電池Ｅからの電源が供給されない。即ち、表示部１２のみならず、入力部１３や送受信部１４、更にはマイクロコンピュータ１１にも電池Ｅから電源が供給されない。従って、待機状態でのリモートコントローラ１０１Ａの消費電力は、スイッチＰに必要な、より詳細には加速度センサ２１に必要な電力のみとすることができ、当該消費電力を顕著に低減することができる。
【００２６】
さて、ステップＳ１の判断結果が肯定的であればステップＳ３へと処理が進む。スイッチ２２がオンすることにより、スイッチＰの両端が導通する。スイッチＰの両端が導通することにより、リレーコイルＲＹ１に電流が流れ、その動作によってリレースイッチＳＷ１がオンする（ステップＳ４）。これにより主部１０に電池Ｅから電源が供給されて（図中ではこのことを、簡単に「電源Ｅが供給されて」と記載）、主部１０が動作する（ステップＳ５）。
【００２７】
リレースイッチＳＷ１，ＳＷ２はスイッチＰの両端Ａ，Ｂの間で直列に接続されているので、一旦リレースイッチＳＷ１がオンすれば、リレースイッチＳＷ２がオフしない限りリレーコイルＲＹ１に電流が流れ続け、リレースイッチＳＷ１のオン状態を保持する。即ちリレーコイルＲＹ１及びリレースイッチＳＷ１を有する第１リレーは、リレースイッチＳＷ２と共に、オン状態についての自己保持回路を構成している。そのため、スイッチＰがオンすることを契機として、その後にスイッチＰがオンしているかオフしているかに関わらず、即ち加速度の検出の有無に依らず、リレースイッチＳＷ１はオンし、主部１０に対して電池Ｅから電源が供給され続ける。
【００２８】
次にステップＳ６に進み、マイクロコンピュータ１１が、入力部１３に対する操作が有るか否かを判断する。もしも操作が有れば、ステップＳ６に戻り、操作が無くなるまでステップＳ６が繰り返し実行される。ステップＳ６において入力部１３に操作が無いと判断された場合、ステップＳ７において所定時間が経過したか否かが判断される。もしも所定時間が経過していなければステップＳ６に戻り、経過していればステップＳ８に進む。
【００２９】
上述のステップＳ６，Ｓ７の処理により、入力部１３に対して所定時間の間に全く操作がない場合のみステップＳ８に処理が進み、それ以外の場合にはステップＳ６に処理が戻る。なお、ステップＳ６の判断は、マイクロコンピュータ１１が入力部１３に対して行う制御の一部として容易に実現でき、またステップＳ７の判断も、図示しないがマイクロコンピュータ１１が通常備えている計時機能を用いることにより実現できるので、その詳細の説明は省略する。
【００３０】
ステップＳ８ではマイクロコンピュータ１１がトランジスタＱ１をオンする。トランジスタＱ１のコレクタとエミッタの間には電源ＥとリレーコイルＲＹ２とが直列に接続されている。よってマイクロコンピュータ１１が、トランジスタＱ１のベースに所定の電圧を印加すれば、トランジスタＱ１をオンすることができる。このような電圧の印加もマイクロコンピュータ１１が通常行うことができる機能であるため、詳細な説明は省略する。
【００３１】
さてトランジスタＱ１がオンすることにより、リレーコイルＲＹ２には電流が流れる。トランジスタＱ１がオフしている場合にも、リレーコイルＲＹ２にはわずかな電流が流れていてもよい。但し、リレースイッチＳＷ２はオン状態にあるトランジスタＱ１が流すエミッタ電流によってオンするものの、オフ状態にあるトランジスタＱ１が流すエミッタ電流によってはオフする。
【００３２】
リレーコイルＲＹ２に電流が流れ、その動作によってリレースイッチＳＷ２がオフする（ステップＳ９）。これによって自己保持回路の経路が切断されることになる。
【００３３】
その後、処理はステップＳ１に戻り、加速度の検出の有無が判断される。もしも加速度が検出されているのであれば、スイッチＰの両端Ａ，Ｂが導通しているので（ステップＳ３）、主部１０への電源Ｅの供給が維持される。但しステップＳ５の動作（主部１０への電源の供給）を実効あらしめるためには、ステップＳ８でオンしたトランジスタＱ１は、いつまでもオンし続けることは望ましくなく、所定期間が経過した後にはオフすることが望ましい。加速度を検出した後に、直ちにスイッチＳＷ１がオフされることを避けるためである。
【００３４】
一方、加速度が検出されていないのであれば、スイッチＰ、リレースイッチＳＷ２のいずれもがオフしていることになり、リレーコイルＲＹ１には電流が流れない。よってリレースイッチＳＷ１がオフし、その結果、主部１０に対する電源Ｅの供給が停止される（ステップＳ２）。
【００３５】
以上のように、一旦は加速度が検出されても、所定時間の間、入力部１３に操作がなく、かつ加速度がもはや検出されていなければ、主部１０には電池Ｅからの電源が供給されない。よって操作のためにリモートコントローラ１０１Ａを動かす以外に、例えば地震や外部からの不測の衝撃を受けて加速度が検出されても、消費電力の不要な増大を抑制することができる。
【００３６】
第２の実施の形態．
図５は本発明の第２の実施の形態にかかるリモートコントローラ１０１Ｂの構成を例示する回路図である。リモートコントローラ１０１Ｂも空気調和機用のリモートコントローラ１０１として用いることができる。
【００３７】
リモートコントローラ１０１Ｂは電池Ｅと、主部１０と、制御回路３０とを備えている。主部１０は電池Ｅを電源の供給源とするものの、主部１０に対する電源の供給、停止は制御回路３０によって制御される。主部１０としては、第１の実施の形態で説明した構成を採用することができる。
【００３８】
制御回路３０においてスイッチＰ、第１のリレー、トランジスタＱ１が備えられる。電池Ｅの両端の間ではスイッチＰ及び第１のリレーの有するリレーコイルＲＹ１が直列に接続される。またスイッチＰと第１のリレーの有するリレースイッチＳＷ１が並列に接続される。トランジスタＱ１においてオン／オフが制御される一対の電流電極はリレーコイルＲＹ１と並列に接続される。より具体的にはトランジスタＱ１のコレクタはスイッチＰの端ＢとリレーコイルＲＹ１の一端とに共通して、トランジスタＱ１のエミッタはリレーコイルＲＹ１の他端と電池Ｅの負極とに共通して、それぞれ接続される。トランジスタＱ１のコレクタ及びベース、並びに電池Ｅの負極が主部１０に接続される。従って、主部１０にはリレースイッチＳＷ１を介して電池Ｅに接続されており、リレースイッチＳＷ１がオンすることによって、主部１０には電源が供給される。
【００３９】
主部１０はトランジスタＱ１のベースに所定の電圧を印加してこれをオンすることができ、後述するように、スイッチＰが導通していない限り、トランジスタＱ１のオンによってリレースイッチＳＷ１をオフすることができる。
【００４０】
第２の実施の形態の動作は、図４に示されたフローチャートのうち、ステップＳ９を「リレーコイルＲＹ１の両端がトランジスタＱ１によって導通して、リレーコイルＲＹ１に電流が流れにくくなり、リレースイッチＳＷ１がオフする」と読み替えて把握することができる。
【００４１】
このようにして第２のリレーを用いずに、従って簡単な構成で第１の実施の形態の効果を得ることができる。
【００４２】
トランジスタＱ１がオンしている場合にも、リレーコイルＲＹ１にはわずかな電流が流れていてもよい。但しリレースイッチＳＷ１は、トランジスタＱ１がオン状態にある場合にリレーコイルＲＹ１に流れる電流によってはオンしない。
【００４３】
第３の実施の形態．
図６は本実施の形態にかかるリモートコントローラ１０１Ｃの構成を例示する回路図である。リモートコントローラ１０１Ｃも空気調和機用のリモートコントローラ１０１として用いることができる。
【００４４】
リモートコントローラ１０１Ｃはリモートコントローラ１０１Ｂの制御回路３０を制御回路１０１Ｃと置換した構成を備えている。制御回路４０は、制御回路３０における第１のリレーの代わりに、フォトカプラＰＨＣ１を用いている。即ち、リレーコイルＲＹ１の代わりに、スイッチＰの端Ｂに接続されたアノードと、電池Ｅの負極に接続されたカソードとを有するフォトダイオードＤが採用されている。またリレースイッチＳＷ１の代わりに、スイッチＰの端Ａに接続されたコレクタと、トランジスタＱ１のコレクタに接続されたエミッタとを有するフォトトランジスタＱ０が採用されている。そしてフォトダイオードＤとフォトトランジスタＱ０とはフォトカプラＰＨＣ１を構成している。
【００４５】
フォトダイオードＤに電流が流れれば、これが発光してフォトトランジスタＱ０が導通するので、図５に示された構造と同様に動作するものの、リレーという機械的動作を行う素子を排除できている。よって簡単な構成で第１の実施の形態の効果を得ることができる。
【００４６】
第１乃至第３の実施の形態において、電池Ｅの極性やフォトトランジスタＱ０、トランジスタＱ１、フォトダイオードＤの極性は適宜に変更することができるのは言うまでもない。
【００４７】
またリモートコントローラ１０１Ａ，１０１Ｂ，１０１Ｃは空気調和機の操作に用いることに限定はされないが、空気調和機の操作用として採用することは好適である。空気調和機の動作を必要としない季節の間、空気調和機用のリモートコントローラは使用されずに放置されることが多い。例えば数ヶ月にもわたって放置されることがある。このような場合、電池の寿命を伸ばすことができる他、電池の過放電による電池からの液漏れを回避でき、ひいてはリモートコントローラの故障を回避できる。
【００４８】
【発明の効果】
この発明のうち請求項１、請求項８にかかる電池駆動装置によれば、加速度の変化が検出されると第３のスイッチング素子（Ｐ）が一旦オンし、これによって第１のスイッチング素子（ＳＷ１；ＳＷ１；Ｑ０）がオンし続ける。しかし第２のスイッチング素子（ＳＷ２；Ｑ１；Ｑ１）の動作によって、第１のスイッチング素子をオフさせることができる。従って、待機状態での電池駆動装置（１０１Ａ，１０１Ｂ，１０１Ｃ）の消費電力を、第３のスイッチング素子に必要な電力のみとすることができ、当該消費電力を顕著に低減することができる。
【００４９】
この発明のうち請求項２にかかる電池駆動装置によれば、操作のため以外に電池駆動装置（１０１Ａ，１０１Ｂ，１０１Ｃ）が動いて加速度が検出されても、消費電力の不要な増大を抑制することができる。
【００５０】
この発明のうち請求項３にかかる電池駆動装置によれば、第３のスイッチング素子（Ｐ）がオンすることにより、制御素子（ＲＹ１）に電流が流れ、その動作によって第１のスイッチング素子（ＳＷ１）がオンする。よって一旦第１のスイッチング素子がオンすれば、第２のスイッチング素子がオフしない限り制御素子に電流が流れ続け、第１のスイッチング素子のオン状態を保持する。よって、第３のスイッチング素子がオンすることを契機として、その後に第３のスイッチング素子がオンしているかオフしているかに関わらず、即ち加速度の検出の有無に依らず、第１のスイッチング素子はオンし、主部（１０）に対して電池（Ｅ）から電源が供給され続ける。一方、第３のスイッチング素子がオフしていれば、第２のスイッチング素子がオフすることによって制御素子に電流が流れなくなり、第１のスイッチング素子がオフして、主部への電源の供給は停止する。
【００５１】
この発明のうち請求項４乃至請求項６にかかる電池駆動装置によれば、第３のスイッチング素子（Ｐ）がオンすることにより、制御素子（ＲＹ１；Ｄ）に電流が流れ、その動作によって第１のスイッチング素子（ＳＷ１）がオンする。よって一旦第１のスイッチング素子がオンすれば、第２のスイッチング素子がオンしない限り制御素子に電流が流れ続け、第１のスイッチング素子のオン状態を保持する。よって、第３のスイッチング素子がオンすることを契機として、その後に第３のスイッチング素子がオンしているかオフしているかに関わらず、即ち加速度の検出の有無に依らず、第１のスイッチング素子はオンし、主部（１０）に対して電池（Ｅ）から電源が供給され続ける。一方、第３のスイッチング素子がオフしていれば、第２のスイッチング素子がオンすることによって制御素子に電流が流れなくなり、第１のスイッチング素子がオフして主部への電源の供給は停止する。
【００５２】
この発明のうち請求項７にかかる電池駆動装置によれば、操作のために電池駆動装置を動かす以外に加速度が検出されても、消費電力の不要な増大を抑制することができる。
【００５３】
空気調和機の動作を必要としない季節の間、空気調和機用のリモートコントローラは使用されずに放置されることが多い。例えば数ヶ月にもわたって放置されることがある。この発明のうち請求項９にかかる電池駆動装置によれば、このような場合、電池の寿命を伸ばすことができる他、電池の過放電による電池からの液漏れを回避でき、ひいてはリモートコントローラの故障を回避できる。
【図面の簡単な説明】
【図１】本発明の第１の実施の形態にかかるリモートコントローラ１０１Ａの構成を例示する回路図である。
【図２】リモートコントローラ１０１Ａを使用する一態様を例示する模式図である。
【図３】スイッチＰの構造の一例を示す回路図である。
【図４】リモートコントローラ１０１Ａの動作の一例を示すフローチャートである。
【図５】本発明の第２の実施の形態にかかるリモートコントローラ１０１Ｂの構成を例示する回路図である。
【図６】本発明の第３の実施の形態にかかるリモートコントローラ１０１Ｃの構成を例示する回路図である。
【符号の説明】
１０　主部
１１　マイクロコンピュータ
１３　入力部
２０，３０，４０　制御回路
１０１Ａ，１０１Ｂ，１０１Ｃ　リモートコントローラ
Ｄ　フォトダイオード
Ｅ　電池
Ｐ　スイッチ
ＰＨＣ１　フォトカプラ
Ｑ０　フォトトランジスタ
Ｑ１　トランジスタ
ＲＹ１，ＲＹ２　リレーコイル
ＳＷ１，ＳＷ２　リレースイッチ
【図１】
2004120161.tif 000003
【図２】
2004120161.tif 000004
【図３】
2004120161.tif 000005
【図４】
2004120161.tif 000006
【図５】
2004120161.tif 000007
【図６】
2004120161.tif 000008